(57)【要約】【課題】  複数のユーザのそれぞれの状況や位置、および履歴や要求、およびユーザ相互の関係に基づくダイナミックな情報解析による情報を配信する。【解決手段】  サービスセンタ１と、インターネット２と、モバイル通信網３と、ＧＰＳ衛星４と、ＧＰＳ機能付き無線端末５と、アクセスポイント６を備え、サービスセンタ１は、位置情報検出サーバ１０と、位置情報管理サーバ１１と、属性管理サーバ１２と、配信サーバ１３と、ＤＢサーバ１４と、無線端末管理ＤＢ１５と、基地局管理ＤＢ１６と、システム利用者管理ＤＢ１７と、属性管理ＤＢ１８と、移動履歴ＤＢ１９と、コンテンツＤＢ２０と、位置情報ＤＢ２１を備える。ユーザａが一人の時はユーザａ自身の属性情報に基づく趣味・趣向に合ったコンテンツ情報を配信し、ユーザａが同伴者のユーザｃと共にいる場合は、ユーザａに対してユーザｃの趣味・趣向に合ったコンテンツ情報を配信する。【選択図】      図３
2007034743.tif 000002
【特許請求の範囲】
【請求項１】
移動通信端末のユーザの属性に応じたコンテンツをネットワークを介して配信するコンテンツ配信システムにおいて、
ネットワークを介して提供するコンテンツを記憶するコンテンツＤＢと、
移動通信端末の移動履歴情報および現在位置情報を記憶する移動履歴ＤＢと、
ユーザがあらかじめ登録した同伴者に関する同伴者情報と、ユーザおよび同伴者のそれぞれが興味を有する分野への属性を示す属性情報とをすくなくとも記憶する属性管理ＤＢと、
移動履歴ＤＢの内容と属性情報と同伴者情報とに基づいてコンテンツの配信先を同伴者もしくはユーザのいずれかで選択して該コンテンツを配信する配信サーバと、
を備えることを特徴とするコンテンツ配信システム。
【請求項２】
前記配信サーバは、
同伴者がユーザと同一の現在位置情報を持つ場合に、ユーザの属性情報に基づいて選択されたコンテンツをすくなくとも同伴者へ配信するための選択処理を実行することを特徴とする請求項１に記載のコンテンツ配信システム。
【請求項３】
前記配信サーバは、
ユーザの位置情報と、同伴者の属性情報と、ユーザの移動履歴情報に基づいた行動予測情報と、でもって複合的に判断されて選択された情報をユーザに配信することを特徴とする請求項１または２に記載のコンテンツ配信システム。
【請求項４】
前記同伴者情報は、
ユーザと同伴者との関係を示す関係情報と、同伴者の個人を特定する個人情報と、同伴者があらかじめ登録したユーザの属性情報に応じたコンテンツの配信を要求する配信要求情報と、を少なくとも含むことを特徴とする請求項１〜３のいずれかに記載のコンテンツ配信システム。
【請求項５】
移動通信端末のユーザの属性に応じたコンテンツをネットワークを介して配信するコンテンツ配信方法において、
コンテンツＤＢによって、ネットワークを介して提供するコンテンツを記憶するステップと、
移動履歴ＤＢによって、移動通信端末の移動履歴情報および現在位置情報を記憶するステップと、
属性管理ＤＢによって、ユーザがあらかじめ登録した同伴者に関する同伴者情報と、ユーザおよび同伴者のそれぞれが興味を有する分野への属性を示す属性情報とをすくなくとも記憶するステップと、
配信サーバによって、移動履歴ＤＢの内容と属性情報と同伴者情報とに基づいてコンテンツの配信先を同伴者もしくはユーザのいずれかで選択して該コンテンツを配信するステップと、
を有することを特徴とするコンテンツ配信方法。
【請求項６】
前記配信サーバは、
同伴者がユーザと同一の現在位置情報を持つ場合に、ユーザの属性情報に基づいて選択されたコンテンツをすくなくとも同伴者へ配信するための選択処理を実行するステップを有することを特徴とする請求項５に記載のコンテンツ配信方法。
【請求項７】
前記配信サーバは、
ユーザの位置情報と、同伴者の属性情報と、ユーザの移動履歴情報に基づいた行動予測情報と、でもって複合的に判断されて選択された情報をユーザに配信するステップを実行することを特徴とする請求項５または６に記載のコンテンツ配信方法。
【請求項８】
前記同伴者情報は、
ユーザと同伴者との関係を示す関係情報と、同伴者の個人を特定する個人情報と、同伴者があらかじめ登録したユーザの属性情報に応じたコンテンツの配信を要求する配信要求情報と、を少なくとも含むことを特徴とする請求項５〜７のいずれかに記載のコンテンツ配信方法。
【請求項９】
移動通信端末のユーザの属性に応じたコンテンツをネットワークを介して配信するコンテンツ配信プログラムにおいて、
コンテンツＤＢによって、ネットワークを介して提供するコンテンツを記憶するステップと、
移動履歴ＤＢによって、移動通信端末の移動履歴情報および現在位置情報を記憶するステップと、
属性管理ＤＢによって、ユーザがあらかじめ登録した同伴者に関する同伴者情報と、ユーザおよび同伴者のそれぞれが興味を有する分野への属性を示す属性情報とをすくなくとも記憶するステップと、
配信サーバによって、移動履歴ＤＢの内容と属性情報と同伴者情報とに基づいてコンテンツの配信先を同伴者もしくはユーザのいずれかで選択して該コンテンツを配信するステップと、
を有することを特徴とするコンテンツ配信プログラム。
【請求項１０】
前記配信サーバは、
同伴者がユーザと同一の現在位置情報を持つ場合に、ユーザの属性情報に基づいて選択されたコンテンツをすくなくとも同伴者へ配信するための選択処理を実行するステップを有することを特徴とする請求項９に記載のコンテンツ配信プログラム。
【請求項１１】
前記配信サーバは、
ユーザの位置情報と、同伴者の属性情報と、ユーザの移動履歴情報に基づいた行動予測情報と、でもって複合的に判断されて選択された情報をユーザに配信するステップを実行することを特徴とする請求項９または１０に記載のコンテンツ配信プログラム。
【請求項１２】
前記同伴者情報は、
ユーザと同伴者との関係を示す関係情報と、同伴者の個人を特定する個人情報と、同伴者があらかじめ登録したユーザの属性情報に応じたコンテンツの配信を要求する配信要求情報と、を少なくとも含むことを特徴とする請求項９〜１１のいずれかに記載のコンテンツ配信プログラム。
【発明の詳細な説明】
【技術分野】
【０００１】
本発明は、携帯情報端末の位置や状況に連動した情報配信を行うための技術に関する。
【背景技術】
【０００２】
従来、ＧＰＳ機能を備えた携帯電話などの移動情報端末において、ユーザの位置情報、移動履歴を取得し、これらを街頭端末に入力することにより、現在の位置情報と入力した情報を複合的に勘案した情報の提供が行われている。
【０００３】
また、ユーザが他のユーザへメールを送信する際、配信対象者の現在地や同伴者等の通知条件を指定して送信し、配信対象が通知条件に合致した時メールが送信されるサービスが行われている。
【０００４】
また、全方位視覚センサを用い、店舗内において全方位映像から顧客の位置や移動速度を計算し、それら情報から顧客の移動履歴、顧客が興味を示した商品等の顧客の活動状況を獲得するサービスが行われている。
【０００５】
また、テーマパーク等において、ＩＣタグを持たせた子供の居場所の確認、ユーザが持つ携帯電話へのタイムリーな情報配信をするサービスが行われている。
【０００６】
（非特許文献１、２参照）。
【非特許文献１】論文：「行動履歴に応じたパーソナライズを実現する地理情報システムの構築：伊藤昌毅,徳田英幸:行動履歴に応じたパーソナライズを実現する地理情報システムの構築,情報処理学会 第66回全国大会，March,2004.」
【非特許文献２】研究報告：「位置情報に基づくコンテキスト生成方式：末田欣子、Casey Tan Ocampo、中津留毅、村上幸司、坂井  博、第4回ユビキタスコンピューティングシステム研究発表会 2004年 4月23日」
【非特許文献３】研究報告：「北岡紀子，中西泰人，大山 実，箱崎勝也： 位置情報を用いた状況推定によるコミュニケーション支援システムの開発〜ＳＯＨＯ グループによる利用実験の報告 電子情報通信学会第３回 ネットワーク社会とライフスタイル時限研究会，NTSL3-3 (2001)」
【非特許文献４】実験：「株式会社富士通プライムソフトテクノロジ、 テーマパーク内での位置情報システム一般公開実験、2004.12.11」、ＵＲＬ：http://jp.fujitsu.com/group/pst/services/appliance/rfid/spaceworld.html
【発明の開示】
【発明が解決しようとする課題】
【０００７】
しかしながら、GPS付携帯電話等のユーザが携帯する端末を介して取得したユーザの位置情報や行動履歴に基づいた情報の提供を行うサービスにおいては、情報の配信の際にユーザの位置情報や行動履歴をダイナミックに解析しておらず、そのため、状況に応じたユーザの情報ニーズを満足させることは難しかった。
【０００８】
また、ユーザがあらかじめ配信対象者の現在地や同伴者等の通知条件を指定しておき、配信対象が通知条件に合致した時にのみ情報提供のメールを送信するサービスでは、ユーザ対配信対象者の一対一のサービスであり、多数の配信対象者へメールを配信するものではなかった。
【０００９】
また、全方位視覚センサを用いて顧客の位置や移動速度を計算し、それら情報から顧客の移動履歴、顧客が興味を示した商品等の顧客の活動状況を獲得するサービスでは、多数のアクセス・ログをダイナミックに取得・解析して情報配信するものではなかった。
【００１０】
また、テーマパークにおいて、ICタグを持たせた子供の居場所の確認、ユーザが持つ携帯電話へのタイムリーな情報配信、ICタグを持つユーザの動線情報の所得・分析をするサービスでは、不特定多数のユーザの行動履歴（アクセス・ログ）を取得・分析し、ダイナミックな行動予測、情報配信を行うものではなかった。
【００１１】
本発明は、上記の課題に鑑みてなされたもので、その目的は、複数のユーザのそれぞれの状況や位置、および履歴や要求、およびユーザ相互の関係に基づくダイナミックな情報解析による情報を配信することにある。
【課題を解決するための手段】
【００１２】
請求項１に記載の本発明は、移動通信端末のユーザの属性に応じたコンテンツをネットワークを介して配信するコンテンツ配信システムにおいて、ネットワークを介して提供するコンテンツを記憶するコンテンツＤＢと、移動通信端末の移動履歴情報および現在位置情報を記憶する移動履歴ＤＢと、ユーザがあらかじめ登録した同伴者に関する同伴者情報と、ユーザおよび同伴者のそれぞれが興味を有する分野への属性を示す属性情報とをすくなくとも記憶する属性管理ＤＢと、移動履歴ＤＢの内容と属性情報と同伴者情報とに基づいてコンテンツの配信先を同伴者もしくはユーザのいずれかで選択して該コンテンツを配信する配信サーバと、を備える。
【００１３】
また、請求項２に記載の本発明は、請求項１において、前記配信サーバは、同伴者がユーザと同一の現在位置情報を持つ場合に、ユーザの属性情報に基づいて選択されたコンテンツをすくなくとも同伴者へ配信するための選択処理を実行することを特徴とする。
【００１４】
また、請求項３に記載の本発明は、請求項１または２において、前記配信サーバは、ユーザの位置情報と、同伴者の属性情報と、ユーザの移動履歴情報に基づいた行動予測情報と、でもって複合的に判断されて選択された情報をユーザに配信することを特徴とする。
【００１５】
また、請求項４に記載の本発明は、請求項１〜３のいずれかにおいて、前記同伴者情報は、ユーザと同伴者との関係を示す関係情報と、同伴者の個人を特定する個人情報と、同伴者があらかじめ登録したユーザの属性情報に応じたコンテンツの配信を要求する配信要求情報と、を少なくとも含む。
【００１６】
また、請求項５に記載の本発明は、移動通信端末のユーザの属性に応じたコンテンツをネットワークを介して配信するコンテンツ配信方法において、コンテンツＤＢによって、ネットワークを介して提供するコンテンツを記憶するステップと、移動履歴ＤＢによって、移動通信端末の移動履歴情報および現在位置情報を記憶するステップと、属性管理ＤＢによって、ユーザがあらかじめ登録した同伴者に関する同伴者情報と、ユーザおよび同伴者のそれぞれが興味を有する分野への属性を示す属性情報とをすくなくとも記憶するステップと、配信サーバによって、移動履歴ＤＢの内容と属性情報と同伴者情報とに基づいてコンテンツの配信先を同伴者もしくはユーザのいずれかで選択して該コンテンツを配信するステップと、を有する。
【００１７】
また、請求項６に記載の本発明は、請求項５において、前記配信サーバは、同伴者がユーザと同一の現在位置情報を持つ場合に、ユーザの属性情報に基づいて選択されたコンテンツをすくなくとも同伴者へ配信するための選択処理を実行するステップを有する。
【００１８】
また、請求項７に記載の本発明は、請求項５または６において、前記配信サーバは、ユーザの位置情報と、同伴者の属性情報と、ユーザの移動履歴情報に基づいた行動予測情報と、でもって複合的に判断されて選択された情報をユーザに配信するステップを実行することを特徴とする。
【００１９】
また、請求項８に記載の本発明は、請求項５〜７のいずれかにおいて、前記同伴者情報は、ユーザと同伴者との関係を示す関係情報と、同伴者の個人を特定する個人情報と、同伴者があらかじめ登録したユーザの属性情報に応じたコンテンツの配信を要求する配信要求情報と、を少なくとも含む。
【００２０】
また、請求項９に記載の本発明は、移動通信端末のユーザの属性に応じたコンテンツをネットワークを介して配信するコンテンツ配信プログラムにおいて、コンテンツＤＢによって、ネットワークを介して提供するコンテンツを記憶するステップと、移動履歴ＤＢによって、移動通信端末の移動履歴情報および現在位置情報を記憶するステップと、属性管理ＤＢによって、ユーザがあらかじめ登録した同伴者に関する同伴者情報と、ユーザおよび同伴者のそれぞれが興味を有する分野への属性を示す属性情報とをすくなくとも記憶するステップと、配信サーバによって、移動履歴ＤＢの内容と属性情報と同伴者情報とに基づいてコンテンツの配信先を同伴者もしくはユーザのいずれかで選択して該コンテンツを配信するステップと、を有する。
【００２１】
また、請求項１０に記載の本発明は、請求項９において、前記配信サーバは、同伴者がユーザと同一の現在位置情報を持つ場合に、ユーザの属性情報に基づいて選択されたコンテンツをすくなくとも同伴者へ配信するための選択処理を実行するステップを有する。
【００２２】
また、請求項１１に記載の本発明は、請求項９または１０において、前記配信サーバは、ユーザの位置情報と、同伴者の属性情報と、ユーザの移動履歴情報に基づいた行動予測情報と、でもって複合的に判断されて選択された情報をユーザに配信するステップを実行することを特徴とする。
【００２３】
また、請求項１２に記載の本発明は、請求項９〜１１のいずれかにおいて、前記同伴者情報は、ユーザと同伴者との関係を示す関係情報と、同伴者の個人を特定する個人情報と、同伴者があらかじめ登録したユーザの属性情報に応じたコンテンツの配信を要求する配信要求情報と、を少なくとも含む。
【発明の効果】
【００２４】
本発明によれば、複数のユーザのそれぞれの状況や位置、および履歴や要求、およびユーザ相互の関係に基づくダイナミックな情報解析による情報を配信することができる。
【発明を実施するための最良の形態】
【００２５】
図１に示すのはコンテンツ配信システムの実施の形態の全体構成図を示す。この図１に示すのは、サービスセンタ１と、インターネット２と、モバイル通信網３と、ＧＰＳ衛星４と、ＧＰＳ機能付き無線端末５と、アクセスポイント６である。
【００２６】
さらにサービスセンタ１は、位置情報検出サーバ１０と、位置情報管理サーバ１１と、属性管理サーバ１２と、配信サーバ１３と、ＤＢサーバ１４と、無線端末管理ＤＢ１５と、基地局管理ＤＢ１６と、システム利用者管理ＤＢ１７と、属性管理ＤＢ１８と、移動履歴ＤＢ１９と、コンテンツＤＢ２０と、位置情報ＤＢ２１を備えている。
【００２７】
こうした構成により、ＧＰＳ機能付き無線端末５がアクセスポイント６と接続可能な場所であれば、アクセスポイント６を利用し、位置情報を取得することができる。アクセスポイント６との接続が不可能な場所ではＧＰＳ衛星４からの位置情報を受信して、ＧＰＳ機能付き無線端末５により位置情報を取得することも可能である。なお、ＧＰＳ衛星４から送信される位置情報はモバイル通信網３を介してインターネット２を通じサービスセンタ１へ提供される。
【００２８】
次に、図２には図１に示したコンテンツ配信システムの動作の概要を説明するための説明図を示している。
【００２９】
まず、ユーザの属性情報がサービスセンタ１に登録される（図２中（１））。この図２にはユーザａとユーザｃがそれぞれサービスセンタ１に登録される例を示している。ユーザａの属性情報の例としては「氏名：ユーザａ、年齢：３０歳、性別：女、Mail：123@456.co.jp、職種：秘書、同伴候補者：ユーザｃ・・・・」であり、同様にユーザｃの属性情報の例としては「氏名：ユーザｃ、年齢：５０歳、性別：男、Mail：789@123.co.jp、職種：社長・・・・」と設定されている。さらに属性情報として、他に趣味や興味のある分野などが具体的に入力され、目的に応じて属性情報の項目は適宜に変更することができる。
【００３０】
次に、各ユーザの位置情報を取得する（図２中（２））。この位置情報の取得はサービスセンタ１により行われる。サービスセンタ１にはコンテンツ配信エンジン２６と、位置検出エンジン２７と、Ｗｅｂサーバ２８とが備わっている。これらの構成は図１に示したサービスセンタ１を構成する各ＤＢおよびサーバ上で動作するプログラムにより実現されている。
【００３１】
次に、ユーザａの同伴者候補であるユーザｃがユーザａの近くに居ることを認識する（図２中（３））。同伴者の有無の認識は、たとえばアクセスポイント６にＧＰＳ機能付き無線端末５が接続している場合には、登録した属性情報が同じユーザが同一アクセスポイント配下に居ることをもって、同伴者が同一エリア内に居ると判断する。
【００３２】
また、アクセスポイント６に接続できない状況の場合はＧＰＳ衛星４により位置情報を取得する。登録した属性情報が同じユーザが一定距離内に居る場合は同伴者が存在すると判断する。同伴者の位置についてはＧＰＳ衛星４により常時監視してもよい。
【００３３】
次に、ユーザａの位置情報と、同伴者の属性情報と、エリアＢが混んでいることを複合的に勘案し、適切な情報をユーザａに配信する。この配信により、多数のユーザの現在位置をダイナミックに収集して解析し、その結果に基づいた判断による適切な情報を提供することができる（図２中（４））。また、管理者端末２５ではユーザの移動履歴・位置情報を表示する（図２中（５））。
【００３４】
図３は、サービスセンタ１に備わるデータベース（ＤＢ）の構造を説明するための概略図を示している。
【００３５】
無線端末管理ＤＢ１５は、無線端末ユーザ番号と、無線端末ＩＤと、ユーザ名と、ＭＡＣアドレスと、ＩＰアドレスを記憶している。基地局管理ＤＢ１６は、基地局番号と、基地局ＩＤと、設置場所と、スキャン間隔と、アクセスポイント認証ユーザと、アクセスポイント認証パスワードを記憶している。システム管理者管理ＤＢ１７は、ユーザＩＤと、ユーザ名称と、パスワードと、ユーザ管理者フラグと、登録日時を記憶している。
【００３６】
さらに、属性管理ＤＢ１８は、ユーザＩＤと、氏名と、年齢と、性別と、使用無線端末ＩＤと、メールアドレスと、登録同伴者ａ〜ｃ（この図３の一例の場合）と、興味のある分野と、趣味などの嗜好情報を記憶している。移動履歴ＤＢ１９は、履歴番号と、時刻と、基地局番号と、緯度経度情報と、無線端末ＩＤと、状況（在室or退室）を記憶している。コンテンツＤＢ２０は、配信コンテンツと、配信対象場所と、配信対象者を記憶している。位置情報ＤＢ２１は、基地局番号と、緯度経度情報と、無線端末ＩＤを記憶している。
【００３７】
図４は、実施の形態の処理の流れを示しており、ユーザａが一人の時はユーザａ自身の属性情報に基づく趣味・趣向に合ったコンテンツ情報が配信される。一方、ユーザａが同伴者であるユーザｃと共にいる場合は、ユーザａに対してユーザｃの属性情報に基づく趣味・趣向に合ったコンテンツ情報を配信する。
【００３８】
まず、無線端末（ＧＰＳ機能付き無線端末）５に対してユーザａ、ｃが自身の属性情報、同伴者候補登録する。この登録によりサービスセンタ１では、サーバの属性管理ＤＢ１８に各ユーザ（同伴者）の属性情報・同伴者候補が登録される。一方、管理者端末２５からは配信コンテンツが登録され、サービスセンタ１のサーバのコンテンツＤＢにコンテンツが登録される。
【００３９】
次に、サービスセンタ１は各ユーザの位置情報を取得する。このとき、無線端末５はアクセスポイント６に接続が不可能の場合はＧＰＳ衛星４に接続し、アクセスポイント６に接続可能な場合はそのまま通信を確保する。
【００４０】
次に、サービスセンタ１は、各ユーザの位置情報、移動履歴をサーバの位置情報ＤＢ２１、移動履歴ＤＢ１９へ蓄積する。管理者端末２５ではユーザの移動履歴・位置情報を表示する。なお、この時の管理者端末２５の画面表示例を図６に示す。移動履歴・位置情報が面３２には、検索メニューやメッセージ、エリア毎の在室人数や、満室の情報がリアルタイムあるいは定期的に表示される。ユーザａとユーザｃの現在位置も画面上に視覚的に容易に視認可能に表示されている。
【００４１】
次に、ユーザａが一人の時は、ユーザａが一人であることがサービスセンタ１にて検出されて認識され、ユーザａの位置情報と属性を勘案し、コンテンツＤＢよりコンテンツをユーザａへ配信する。ユーザａの持つ無線端末５では、この配信されたコンテンツを受信する。
【００４２】
一方、ユーザａがユーザｃと一緒のときは、サービスセンタ１はユーザａとユーザｃが同一のエリアに一緒に居ることを検出して認識する。各ユーザの位置情報と同伴者を勘案し、ユーザｃの趣味・趣向にあったコンテンツをユーザａへ配信する。ユーザａの持つ無線端末５にはユーザｃの趣味・趣向に合ったコンテンツが配信される。ユーザａはこのコンテンツの内容を活用して、たとえばユーザｃに対して有意なアドバイスを与えたり、様々なコンシェルジュサービスを提供することもできる。
【００４３】
図５は図４に示した処理の流れに伴う信号処理のシーケンス図を示している。
【００４４】
この図５において、DataBase３０はサービスセンタ１に備わる各種ＤＢを指している。ＷｅｂＡＰ３１はＷｅｂ上に設けられたポータルサイトの一例であり、コンテンツ提供サービスを行っている。
【００４５】
まず、管理者端末２５からあらかじめ無線端末情報を無線端末ＤＢ１５へ入力し（Ｓ１）、基地局情報を基地局管理ＤＢ１６へ入力し（Ｓ２）、システム利用者情報をシステム利用者管理ＤＢへ入力し（Ｓ３）、配信するコンテンツをコンテンツＤＢ２０へ入力する（Ｓ４）。
【００４６】
次に、ユーザ各人が持つ無線端末５からは各自の属性を送信してサービスセンタ１の属性管理ＤＢ１８にあらかじめ登録する（Ｓ６）。同時に、無線端末５はＧＰＳ衛星４と通信を行い（Ｓ６）、自身の位置情報を取得する（Ｓ７）。また、サービスセンタ１はモバイル通信網（移動体網）３を利用して無線端末５の位置情報を取得する（Ｓ８）。取得した位置情報を位置情報ＤＢ２１に入力する（Ｓ９）。
【００４７】
無線端末５がアクセスポイント６と通信している場合（Ｓ１５）、アクセスポイント６と通信している無線端末５の端末ＩＤを取得する（Ｓ１０）。取得した端末ＩＤ、基地局番号を位置情報ＤＢ２１に入力して記憶する（Ｓ１１）。
【００４８】
次に、無線端末５が移動すると、移動に伴い変化する位置情報を移動履歴ＤＢ１９に入力する（Ｓ１２）。また、アクセスポイント接続時において、位置情報ＤＢ２１より同一アクセスポイントの配下に居るユーザを検索する（Ｓ１３）。あるいは、ＧＰＳ衛星４による位置情報取得時には、位置情報ＤＢ２１より一定範囲にいるユーザを検索する（Ｓ１４）。
【００４９】
最終的にユーザａとユーザｃが同一エリア内（一定範囲内）に居ればコンテンツＤＢ２０よりコンテンツを配信する。
【００５０】
以上に説明した実施の形態によれば、複数のユーザのそれぞれの状況や位置、および履歴や要求、およびユーザ相互の関係に基づくダイナミックな情報解析による情報を配信することができる。
【図面の簡単な説明】
【００５１】
【図１】実施の形態に係る全体構成図を示す。
【図２】実施の形態における動作の概要を説明するための説明図を示す。
【図３】実施の形態におけるデータベースを説明するための構造図を示す。
【図４】実施の形態における処理を説明するための説明図を示す。
【図５】実施の形態における処理を説明するためのシーケンス図を示す。
【図６】実施の形態における管理者端末の画面表示の一例を示す。
【符号の説明】
【００５２】
１  サービスセンタ
２  インターネット
３  モバイル通信網
４  ＧＰＳ衛星
５  ＧＰＳ機能付き無線端末
６  アクセスポイント
１０  位置検出サーバ
１１  位置情報管理サーバ
１２  属性管理サーバ
１３  配信サーバ
１４  ＤＢサーバ
１５  無線端末管理ＤＢ
１６  基地局管理ＤＢ
１７  システム利用者管理ＤＢ
１８  属性管理ＤＢ
１９  移動履歴ＤＢ
２０  コンテンツＤＢ
２１  位置情報ＤＢ
２５  管理者端末
２６  コンテンツ配エンジン
２７  位置情報検出エンジン
２８  Ｗｅｂサーバ
【図１】
2007034743.tif 000003
【図２】
2007034743.tif 000004
【図３】
2007034743.tif 000005
【図４】
2007034743.tif 000006
【図５】
2007034743.tif 000007
【図６】
2007034743.tif 000008